(57)【特許請求の範囲】
【請求項１】
白粉、パウダーファンデーション等の粉状化粧料（１００）を収容する有底筒状の化粧料収容室（１１）を設けた本体（１）と、該化粧料収容室（１１）上面を覆い、シリコンゴム等からなる軟弾性材料で構成され、伸長方向に交差するよう形成される複数の切れ込み（５１）を設けた軟弾性仕切り部（４）と、前記化粧料収容室（１１）に係合または嵌合する固定部（９５）および粉状化粧料（１００）を取り出す開口部（９１）および軟弾性仕切り部（４）を前記本体（１）との間で挟持する挟持部（９３）より構成される仕切り部固定部材（９，１０）とを有する粉状化粧料容器において、  パラフィン紙やプラスチックフィルム等の伸縮のないフィルムで構成されたバージンフィルム（７）を前記軟弾性仕切り部（４）の外面（５３）上に、軟弾性仕切り部（４）と共に挟持させ、該バージンフィルム（７）が前記軟弾性仕切り部（４）の伸縮変形を抑え、切れ込み（５１）の開穴を防止し粉状化粧料（１００）が軟弾性仕切り部（４）の外面（５３）側へ漏出しないようにしたことを特徴とする粉状化粧料容器。
【請求項２】
白粉、パウダーファンデーション等の粉状化粧料（１００）を収容する有底筒状の化粧料収容室（１１）を設けた本体（１）と、該化粧料収容室（１１）上面を覆い、シリコンゴム等からなる粘性を有する粘弾性材料で構成され、伸長方向に交差するよう形成される複数の切れ込み（５１）を設けた粘弾性仕切り部（５）と、前記化粧料収容室（１１）に係合または嵌合する固定部（９５）および粉状化粧料（１００）を取り出す開口部（９１）および粘弾性仕切り部（５）を前記本体（１）との間で挟持する挟持部（９３）より構成される仕切り部固定部材（９，１０）とを有する粉状化粧料容器において、  パラフィン紙やプラスチックフィルム等の伸縮のないフィルムで構成されたバージンフィルム（７）を前記粘弾性仕切り部（５）の外面（５３）上に粘弾性仕切り部（５）の粘着力により粘着保持させ、該バージンフィルム（７）が前記粘弾性仕切り部（５）の伸縮変形を抑え、切れ込み（５１）の開穴を防止し粉状化粧料（１００）が粘弾性仕切り部（５）の外面（５３）側へ漏出しないようにしたことを特徴とする粉状化粧料容器。
【請求項３】
軟弾性仕切り部（４）または粘弾性仕切り部（５）の外面（５３）外周側に挟持部当接突起（５９）が形成され、当該挟持部当接突起（５９）がバージンフィルム（７）の位置決め可能にすると共に前記仕切り部固定部材（９）の挟持部（９３）に当接し化粧料収容室（１１）を密閉することを特徴とする請求項１、請求項２いずれかの項記載の粉状化粧料容器。
【請求項４】
挟持部（９３）が仕切り部固定部材（１０）の下面外周側に沿うように環状の仕切り部当接突起（９７）を形成し、当該仕切り部当接突起（９７）がバージンフィルム（７）の位置決め可能にすると共に前記軟弾性仕切り部（４）あるいは粘弾性仕切り部（５）の外面（５３）に当接し化粧料収容室（１１）を密閉することを特徴とする請求項１、請求項２いずれかの項記載の粉状化粧料容器。
【請求項５】
軟弾性仕切り部（４）、あるいは粘弾性仕切り部（５）が化粧料収容室（１１）の外側部に嵌合する収容室嵌合部（５７）を有する有天筒状をなし、化粧料収容室（１１）の外側部よりずれないようにすると共に化粧料収容室（１１）を密閉することを特徴とする請求項１、請求項２、請求項３、請求項４いずれかの項記載の粉状化粧料容器。
【請求項６】
バージンフィルム（７）が軟弾性仕切り部（４）、あるいは粘弾性仕切り部（５）の全ての切れ込み（５１）を覆うように形成される被覆部（７１）と、該被覆部（７１）の外周に帯状に突出するように形成されるつまみ部（７３）からなり、  該つまみ部（７３）を被覆部（７１）の表面（７５）中心側に折り曲げることにより先端部が仕切り部固定部材（９，１０）の開口部（９１）より突出し、若しくは粘弾性仕切り部（５）に粘着していない部分を設け、仕切り部固定部材（９，１０）の開口部（９１）から除去できるようにしたことを特徴とする請求項１、請求項２、請求項３、請求項４、請求項５いずれかの項記載の粉状化粧料容器。
【請求項７】
バージンフィルム（７）がパラフィン紙等の防湿紙で構成され、被覆部（７１）とつまみ部（７３）との境界で被覆部（７１）につまみ部（７３）の幅を延長するよう切れ目（７９）を形成し、  つまみ部（７３）を上方に引くことによりバージンフィルム（７）を容易に破け、除去できるようにしたことを特徴とする請求項６記載の粉状化粧料容器。
【請求項８】
バージンフィルム（７）の被覆部（７１）が、仕切り部固定部材（９，１０）の開口部（９１）より小形状であることを特徴とする請求項２記載の粉状化粧料容器。
【発明の詳細な説明】
【技術分野】
【０００１】  本発明は、粉状化粧料を収容する粉状化粧料容器であって粉状化粧料が不用意に飛散することのない粉状化粧料容器に関する。
【背景技術】
【０００２】  従来白粉、パウダーファンデーションなどの粉状化粧料をパウダーパフに取って使用するコンパクト容器等が知られている。コンパクト容器は網状フィルターや複数の粉取り出し穴を設けた仕切り部にパウダーパフを載置してコンパクト容器を傾けるなどしてパウダーパフ等に少量の粉状化粧料を取り出して使用するものである。【０００３】  そのため網状フィルターや小径の粉取り出し穴を有する仕切り部を設けた粉状化粧料容器では容器を軽く振るまたは傾けるのみで粉状化粧料を仕切り部上に不用意に流出してしまう。こうした不具合をなくすために未開封商品、非使用中の粉状化粧料容器では穴や隙間のない密閉蓋で粉状化粧料の不用意な漏出を防止し、化粧に際し網状フィルターや小径の粉取り出し穴を設けた仕切り部に代えていた。【０００４】  しかし、繰り返し使用可能な密閉蓋は部品点数が増える上に使用に際し粉状化粧料容器への取り付け取り外しの手間が必要になる。それにもかかわらず密閉蓋の取り付け取り外し操作が必要で密閉蓋の裏面に付着する粉状化粧料のために周囲を汚してしまう。【０００５】  こうした問題を解決する手段として特許文献１が提案されている。また仕切り部を伸縮させて切れ込みを開閉可能にし、必要時にのみ粉状化粧料を仕切り部上に移動可能にする手段として特許文献２が提案されている。【０００６】
【特許文献１】特開２００５−１０３１０６号公報
【特許文献２】特開２００５−７０９３号公報
【０００７】  特許文献１はバージンフィルム用のリングを取着したコンパクト容器で、小径の粉取り出し穴を複数設けた仕切り部にアプリケータを戴置収納している。そして出荷する商品に対してコンパクト容器は仕切り部の上面に化粧料の漏洩を防ぐと共に容易に取り除けるバージンフィルムを被覆しパフとの間を遮断している。【０００８】  特許文献２は仕切り部に化粧料収容室の内外を貫通する複数の切れ込みを設けたものである。仕切り部は軟弾性材料で形成され、軟弾性材料が伸長し切れ込みを開穴する事で粉状化粧料を仕切り部上に移動可能にする
【発明の開示】
【発明が解決しようとする課題】
【０００９】  特許文献１で用いられるバージンフィルムは商品の未開封、未使用を確認すると共に内容物の量、品質を保証する。同時に粉状化粧料の仕切り部からの漏出を防止するものである。【００１０】  そのため粉状化粧料の仕切り部に使用されている網目や小径穴を有するフィルターはバージン用部材として使用するには不向きである。そこで仕切り部に網目や小径穴を有するフィルターを使用する場合は、出荷搬送に際しバージンフィルムや中蓋形式の漏出防止用カバー等に代え粉状化粧料の漏出を防止していた。そして粉状化粧料の初使い時にバージンフィルムまたは漏出防止用カバーを除去しフィルターを装着し使用していた。【００１１】  網状フィルターや小径の粉取り出し穴を有する仕切り部を使用する場合、粉状化粧料が粉状化粧料容器や容器周囲に使用の度に散り汚してしまう。こうした不具合がバージンフィルムを剥がした後にも頻繁に生ずる。こうした問題を解決するには再使用可能な漏出防止用カバーを利用することも考えられるが、使用毎に漏出防止用カバーを取り去る操作が必要になり使い勝手が悪くなる上、部品点数も増加してコストアップの要因となっていた。【００１２】  他方特許文献２で示される軟弾性材料で構成された仕切り部は、外部からの押圧力によって生ずる伸びで切れ込みを開穴するもので、押圧力のない状態では粉状化粧料の漏出を防止する。しかし、コンパクト容器の搬送時の振動等で粉状化粧料が伸縮する仕切り部の内面側にぶつかり粉状化粧料の漏出を完全に防止できる保証はない。【００１３】  本発明はこのような問題点に鑑みてなされたものでその目的とするところは、粉状化粧料の不用意な漏出を防止すると共にバージンフィルムを取り除くことで仕切り部の伸縮を可能にし、粉状化粧料を仕切り部上に取り出せる粉状化粧料容器を提供しようとするものである。
【課題を解決するための手段】
【００１４】  本発明粉状化粧料容器は、上記目的を達成するため仕切り部が開閉可能な複数の切れ込みを設けた弾性材料で構成される。さらに未使用の粉状化粧料容器を構成する仕切り部の外面にバージンフィルムを添設することで仕切り部の伸縮変形を抑え、切れ込みの開穴を防止するものである。なお、本願において嵌合とは嵌着、緩嵌、螺嵌、咬止をも含むものと解釈する。【００１５】  すなわち白粉、パウダーファンデーション等の粉状化粧料１００を収容する有底筒状の化粧料収容室１１を設けた本体１と、シリコンゴム等からなる軟弾性材料で構成され伸長方向に交差するよう形成される複数の切れ込み５１を設けた軟弾性仕切り部４と、パラフィン紙やプラスチックフィルム等の伸縮のないフィルムで構成され軟弾性仕切り部４の外面５３上に添設されるバージンフィルム７と、粉状化粧料１００を取り出す開口部９１および軟弾性仕切り部４とバージンフィルム７を前記本体１との間で挟持する挟持部９３および化粧料収容室１１に係合または嵌合する固定部９５より構成される仕切り部固定部材９，１０と、を有し、バージンフィルム７が前記軟弾性仕切り部４の伸縮変形を抑え切れ込み５１の開穴を防止し粉状化粧料１００が軟弾性仕切り部４の外面５３側へ漏出しないようにするものである。【００１６】  また白粉、パウダーファンデーション等の粉状化粧料１００を収容する有底筒状の化粧料収容室１１を設けた本体１と、シリコンゴム等からなる粘性を有する粘弾性材料で構成され伸長方向と交差するよう形成される複数の切れ込み５１を設けた粘弾性仕切り部５と、パラフィン紙やプラスチックフィルム等の伸縮のないフィルムで構成され粘弾性仕切り部５の外面５３上に粘着されるバージンフィルム７と、粉状化粧料１００を取り出す開口部９１および粘弾性仕切り部５を前記本体１との間で挟持する挟持部９３および前記有底筒状の本体１に係合または嵌合する固定部９５より構成される仕切り部固定部材９，１０と、を有しバージンフィルム７が前記粘弾性仕切り部５の伸縮変形を抑え切れ込み５１の開穴を防止し粉状化粧料１００が粘弾性仕切り部５の外面５３側へ漏出しないようにするものも良い。【００１７】  さらに軟弾性仕切り部４または粘弾性仕切り部５の外面５３外周側に挟持部当接突起５９が形成され、挟持部当接突起５９がバージンフィルム７の位置決め可能にすると共に前記仕切り部固定部材９の挟持部９３に当接し化粧料収容室１１を密閉するものである。【００１８】  また、挟持部９３が仕切り部固定部材１０の下面外周側に沿うように環状の仕切り部当接突起９７を形成し、仕切り部当接突起９７がバージンフィルム７の位置決め可能にすると共に軟弾性仕切り部４あるいは粘弾性仕切り部５の外面５３に当接し化粧料収容室１１を密閉するものも良い。【００１９】  さらに軟弾性仕切り部４、または粘弾性仕切り部５が化粧料収容室１１の外側部に嵌合する収容室嵌合部５７を有する有天筒状をなし、化粧料収容室１１の外側部よりずれないようにすると共に化粧料収容室１１を密閉するものである。【００２０】  また、バージンフィルム７が軟弾性仕切り部４、または粘弾性仕切り部５の全ての切れ込み５１を覆うように形成される被覆部７１と、被覆部���１の外周に帯状に突出するように形成されるつまみ部７３からなり、つまみ部７３を被覆部７１の表面７５中心側に折り曲げることにより先端部が仕切り部固定部材９，１０の開口部９１より突出し、若しくは粘弾性仕切り部５に粘着していない部分を設け、仕切り部固定部材９，１０の開口部９１から除去できるようにするものである。【００２１】  さらにバージンフィルム７がパラフィン紙等の防湿紙で構成され、被覆部７１とつまみ部７３との境界で被覆部７１につまみ部７３の幅を延長するよう切れ目７９を形成し、つまみ部７３を上方に引くことによりバージンフィルム７を容易に破け、除去できるようにすることも良い。【００２２】  さらにバージンフィルム７の被覆部７１が、仕切り部固定部材９，１０の開口部９１より小形状であることも良いものである。
【発明の効果】
【００２３】  本発明粉状化粧料容器にあっては次に記載する効果を奏する。すなわち軟弾性仕切り部４、または粘弾性仕切り部５は長さ数ミリメートル程度にカッティングされた複数の切れ込み５１が設け、パフ等のアプリケータ２００で押圧される位置を中心に弾性的に伸長することにより切れ込み５１を開穴する。また軟弾性仕切り部４、または粘弾性仕切り部５の押圧を解除すると開穴されていた切れ込み５１は弾性的に元の形状に復元閉穴され粉状化粧料１００の移動を阻止する。そのため軟弾性仕切り部４、または粘弾性仕切り部５の内面から粉状化粧料１００が不用意に取り出されることはなくなり、外蓋（図示しない）の開閉操作等で飛散することもなくなる。【００２４】  バージンフィルム７はパラフィン紙やプラスチックフィルム等伸縮のないフィルムからなり未開封の粉状化粧料容器における軟弾性仕切り部４または粘弾性仕切り部５の外面５３に添設または粘着される。バージンフィルム７の添設または粘着は、軟弾性仕切り部４または粘弾性仕切り部５の伸びを抑え未開封の粉状化粧料容器に強い振動や衝撃が加わった場合でも切れ込み５１が不用意に開穴することを防止する。【００２５】  仕切り部固定部材１０に形成される仕切り部当接突起９７、および仕切り部固定部材９の外面５３に形成さられる挟持部当接突起５９は、化粧料収容室１１を密閉し、粉状化粧料１００が化粧料収容室１１の上縁１３および外側部１９、化粧料収容室１１に嵌合する収容室嵌合部５７の内周および外周に沿った隙間から漏出することを防止する。【００２６】  収容室嵌合部５７は化粧料収容室１１の外側部１９に嵌合することで軟弾性仕切り部４または粘弾性仕切り部５の化粧料収容室１１の外側部１９からのずれを抑える。軟弾性仕切り部４または粘弾性仕切り部５のずれ抑えは軟弾性仕切り部４または粘弾性仕切り部５の外面５３上に添設されるバージンフィルム７の皺、緩みの発生を防止する。また化粧料収容室１１の外側部１９に嵌合する収容室嵌合部５７は本体１と仕切り部固定部材９，１０との間に軽く挟持される深さとすることでさらに化粧料収容室１１を密閉する。【００２７】  また仕切り部固定部材１０に形成される仕切り部当接突起９７、軟弾性仕切り部４または粘弾性仕切り部５の外面５３に形成さられる挟持部当接突起５９は、化粧料収納容器の組み立てに際しバージンフィルム７の位置決めをする。【００２８】  バージンフィルム７の表面７５側に折り返されるつまみ部７３は仕切り部固定部材９，１０の開口部９１から指先で摘み引っ張れるようにしたもので、バージンフィルム７を軟弾性仕切り部４または粘弾性仕切り部５の外面５３から容易に除去できるようにする。またバージンフィルム７に形成された切れ目７９はパラフィン紙等の防湿紙で構成されるバージンフィルム７を一定方向に破けるようにし、初使いに際し軟弾性仕切り部４または粘弾性仕切り部５外面５３より容易に除去できる効果がある。なおバージンフィルム７の周縁が仕切り部固定部材９，１０の挟持部９３に挟持される寸法はフィルムの強度にも左右されるが１〜５ミリメートル程度で設定される。
【発明を実施するための最良の形態】
【００２９】  図１は本発明粉状化粧料容器主要部の組み立て断面図である。図において本体１は中央に粉状化粧料１００を収容できるよう上部を開口する有底状の化粧料収容室１１を有しており、上端に平滑な上縁１３を形成している。軟弾性仕切り部４または粘弾性仕切り部５、バージンフィルム７は化粧料収容室１１の開口側を形成する上縁１３を封口する。化粧料収容室１１の底部２１の中央には化粧料充填口１７が設けられ、化粧料収容室１１の開口側を閉口した状態で底部２１側から粉状化粧料１００を充填できるようにしている。封止片１５は化粧料充填口１７を封止し粉状化粧料１００を収納する化粧料収容室１１内を密閉する。【００３０】  図２は本発明粉状化粧料容器の組み立て説明図である。本体１を構成する化粧料収容室１１の上縁１３には軟弾性仕切り部４、または粘弾性仕切り部５の内面５５が密着され化粧料収容室１１を閉口する。図において軟弾性仕切り部４はシリコンゴム等の軟弾性材料で構成され、粘弾性仕切り部５はシリコンゴム等からなる粘性を有する粘弾性材料で構成され、天井面を閉じた有天筒状をなし、図３に例示すように軟弾性仕切り部４、粘弾性仕切り部５の中央に向かう伸長方向に交差する複数の切れ込み５１が形成される。【００３１】  切れ込み５１は軟弾性仕切り部４、粘弾性仕切り部５の外面５３と内面５５との間を貫通するスリットで、軟弾性仕切り部４、粘弾性仕切り部５の中心近傍が押圧伸長の大きさに応じ開穴される。切れ込み５１の開穴は粉状化粧料１００が軟弾性仕切り部４、粘弾性仕切り部５の外面５３と内面５５との間で自由な移動と共に外面５３への取り出しを可能にする。尚、切れ込み５１は図３に示すような同心円に配置されることに限定されるものではなく軟弾性仕切り部４、粘弾性仕切り部５の中心から渦巻状に配置することは勿論、切れ込み５１を星形状に配置するなどの手段も良い。さらに切れ込みの角度を軟弾性仕切り部４の伸長方向に交差する範囲で任意に選択する手段を採用することも良い。【００３２】  また軟弾性仕切り部４または粘弾性仕切り部５の側面は垂下して筒状の収容室嵌合部５７が形成される。収容室嵌合部５７は化粧料収容室１１の外側部１９に嵌合し位置決めされる。ここに嵌合とは螺着、嵌着、咬合等が含まれる。他方軟弾性仕切り部４または粘弾性仕切り部５にかかるアプリケータ２００の押圧力を解除すると軟弾性仕切り部４または粘弾性仕切り部５は復元し切れ込み５１は閉穴する。従って切れ込み５１は、非使用若しくは携帯時など、アプリケータ２００から押圧力が加わらない状態においては完全に閉穴され、化粧料収容室１１と外部とを隔離する。【００３３】  また挟持部当接突起５９は軟弾性仕切り部４、または粘弾性仕切り部５の外面５３で仕切り部固定部材９の挟持部９３直下に環状に設けられ、バージンフィルム７の位置決めと共に挟持部９３に密着して化粧料収容室１１と仕切り部固定部材９との間を密封する。【００３４】  バージンフィルム７はパラフィン紙やプラスチックフィルム等伸縮のないフィルムで形成され、平面説明図である図４のように被覆部７１とつまみ部７３を構成する。被覆部７１は環状の挟持部当接突起５９内に収まる大きさに形成され軟弾性仕切り部４、または粘弾性仕切り部５の外面５３上に気密性を持たせるよう被覆し、化粧料収容室１１内の粉状化粧料１００は勿論、吸湿による粉状化粧料１００の固形化を妨げる。また、つまみ部７３は被覆部７１の外周に帯が突出するように形成され、さらに図２に示されるように被覆部７１の表面７５側で中央に向けて折り曲げられる。なおバージンフィルム７がパラフィン紙のように容易に破ける素材で形成される場合、帯状のつまみ部７３を被覆部７１内に延長するように切れ目７９を形成し破け易い方向を形作ると良い。【００３５】 仕切り部固定部材９は図２に示されるとおり上部中央に開口部９１、開口部９１に隣接する外周下面に挟持部９３、側部に構成される固定部９５より構成される。開口部９１は軟弾性仕切り部４の外面５３を押圧し切れ込み５１を開穴すると共に粉状化粧料１００を取り出せるよう開口する。また挟持部９３は軟弾性仕切り部４、および外面５３上に添設されるバージンフィルム７を化粧料収容室１１の上縁１３との間で挟持する。また固定部９５は仕切り部固定部材９と本体１とを一体に固定するもので、図１に示すように本体１の外周に螺着、嵌着等により固着する。【００３６】  以上の構成において、バージンフィルム７は表面７５側からの人為的な押圧力あるいは振動等に起因する化粧料収容室１１内の粉状化粧料１００の暴れで軟弾性仕切り部４は内面５５側から押圧力を受ける。伸縮性のないパラフィン紙、プラスチックフィルム等をバージンフィルム７に使用し軟弾性仕切り部４の外面５３に添設することで軟弾性仕切り部４の強度はバージンフィルム７に間接的に補強され伸縮は小さくなる。したがって軟弾性仕切り部４に形成された切り込み５１は搬送時の振動程度では閉穴状態を維持される。そのためバージンフィルム７と軟弾性仕切り部４の間に粉状化粧料１００が溜まる原因がなくなり初使いでバージンフィルム７を除去する際に粉状化粧料１００が飛散し周辺を汚してしまうといった不具合がなくなる。【００３７】  またパフ等のアプリケータ２００をバージンフィルム７上に載置する場合も、軟弾性仕切り部４はバージンフィルム７を介して伸縮されることから軟弾性仕切り部４の内面５５側への伸びは防止される。そのため軟弾性仕切り部４に形成された切れ込み５１は開穴されず、化粧料収容室１１内の粉状化粧料１００は外面５３の側への漏出はない。したがって軟弾性仕切り部４とバージンフィルム７の間に粉状化粧料１００が入り込まずバージンフィルム７の開封時に粉状化粧料１００が飛散することはない。【００３８】  なお、粘弾性仕切り部５を使用する場合、粘弾性仕切り部５はバージンフィルム７が外面５３に粘着し直接補強される。そのため粘弾性仕切り部５は伸縮性のないバージンフィルム７と一体になって伸縮されることから両者の間に隙間は生じない。また粉状化粧料容器に外部から押圧力や衝撃が加わる場合は勿論、粉状化粧料容器の振動によって粘弾性仕切り部５が振動する場合でも粘弾性仕切り部５とバージンフィルム７との間に隙間は生じない。さらにバージンフィルム７を粘着する粘弾性仕切り部５の伸びは単独の場合に比べ小さくなり切れ込み５１は開穴しない。そのため仕切り部５とバージンフィルム７との間に粉��化粧料１００が溜まることはなく、バージンフィルム７の開封時に粉状化粧料１００が飛散することはなくなる。【００３９】  また粘弾性仕切り部５を使用する場合、バージンフィルム７を粘弾性仕切り部５の外面５３に粘着し貼り付けることができる。しかし、バージンフィルム７は粘弾性仕切り部５に粘着固定されることからバージンフィルム７を仕切り部固定部材９，１０との間で挟持する必用はない。したがって被覆部７１を仕切り部固定部材９，１０の開口部９１内に収まる形状にすることもできる。この場合仕切り部固定部材９，１０を本体１に装着後にバージンフィルム７を装着することができる上、バージンフィルム７の装着後であっても粉状化粧料容器を解体せずに変更することを可能にする。【００４０】  図５は本発明にかかる断面説明図で図２に示した軟弾性仕切り部４または粘弾性仕切り部５の外面５３に仕切り部当接部材９の挟持部９３に当接する挟持部当接突起５９を設けた構成に対し、仕切り部当接部材１０に軟弾性仕切り部４または粘弾性仕切り部５の外面５３に当接する仕切り部当接突起９７を設けたものである。仕切り部固定部材１０は図示されるように挟持部９３に設けた仕切り部当接突起９７を収容室嵌合部５７の直上に位置するように設けているが、形状等の制約により僅か内側で化粧料収容室１１の上縁１３直上にかかることを拒むものではない。挟持部９３に対し仕切り部当接突起９７を設ける場合バージンフィルム７は不安定な固定にされがちであるが挟持部９３に軽く接着することにより組み立て作業をし易くできる。また仕切り部固定部材１０の上下を反転しバージンフィルム７を内面中央に配設することでも組み立て作業をし易くできる。したがってバージンフィルム７を仕切り部固定部材１０側に設ける場合も軟弾性仕切り部４、または粘弾性仕切り部５の外面５３上に設ける場合に比し組み立て作業に大きな支障は生じない。以下仕切り部当接突起９７の作用効果については挟持部当接突起５９の説明と重複することから省略する。【００４１】  図６は本発明粉状化粧料容器の使用説明図でアプリケータ２００を軟弾性仕切り部４、または粘弾性仕切り部５の上方から押圧した状態を示す。図に示されるようにバージンフィルム７を除去された粉状化粧料容器の軟弾性仕切り部４、または粘弾性仕切り部５は、アプリケータ２００の押圧により下方に湾曲し伸長される。軟弾性仕切り部４、または粘弾性仕切り部５には伸長方向に交差するよう形成される複数の切れ込み５１が設けられ、大きな伸長で開穴され粉状化粧料１００を外面５３側に取り出す。他方、化粧時粉状化粧料容器を軽く振って攪拌する程度では粉状化粧料１００が仕切り部５に加える押圧力は小さく切れ込み５１は開穴されない。そのため粉状化粧料１００は仕切り部５の外面５３側に漏出することはなくなる。【００４２】  以上説明のとおり、本発明粉状化粧料容器にあっては発明の効果の欄に記載する効果を有する。なお本発明について図面に示した特定の実施の形態をもって説明してきたが、本発明は図面に示したこれらの実施の形態に限定されるものではなく、各種キャップ、筐体の装着やパフなどのアプリケータなどの収納を妨げるものではない。また本発明では固定部９５のない略平面状の軟弾性仕切り部４あるいは粘弾性仕切り部５でも上縁１３の外周側に係合する僅かな突起を形成する形状も広義には有天筒状である。そして同形状でも仕切り部材を化粧料収納室の外側部よりずれないようにできることは言うまでもないことである。
【図面の簡単な説明】
【００４３】
【図１】本発明粉状化粧料容器主要部の組み立て断面図である。
【図２】本発明粉状化粧料容器の組み立て説明図である。
【図３】仕切り部の切れ込み説明図である。
【図４】バージンフィルムの平面説明図である。
【図５】本発明にかかる第２の仕切り部固定部材の断面説明図である。
【図６】本発明粉状化粧料容器の使用説明図である。
【符号の説明】
【００４４】１・・・・本体４・・・・軟弾性仕切り部５・・・・粘弾性仕切り部７・・・・バージンフィルム９・・・・仕切り部固定部材１０・・・仕切り部固定部材１１・・・化粧料収容室１３・・・上縁１５・・・封止片１７・・・化粧料充填口１９・・・外側部２１・・・底部５１・・・切れ込み５３・・・外面５５・・・内面５７・・・収容室嵌合部５９・・・挟持部当接突起７１・・・被覆部７３・・・つまみ部７５・・・表面７７・・・裏面７９・・・切れ目９１・・・開口部９３・・・挟持部９５・・・固定部９７・・・仕切り部当接突起１００・・粉状化粧料２００・・アプリケータ
【図１】
0005115956.tif 000002
【図２】
0005115956.tif 000003
【図３】
0005115956.tif 000004
【図４】
0005115956.tif 000005
【図５】
0005115956.tif 000006
【図６】
0005115956.tif 000007